(57)【要約】【課題】放射性汚染物質から発生する放射能（放射線）の量を減らして、より安全な物質に近づける放射性汚染物質の処理方法及びこれに用いる処理水の製造装置を提供する。【解決手段】用水１１に対して、粒状の電気石が自由に動ける状態で収納された電気石処理手段１４を通過させる電気石処理と、キャビテーション発生手段１２を通過させる沸騰化処理とを行って、処理水１６を作り、処理水１６をセシウムによって汚染された放射性汚染物質に接触させて、放射性汚染物質から発生する放射線の量を減少させる。【選択図】図１
2013242305.tif 000002
【特許請求の範囲】
【請求項１】
用水に対して、粒状の電気石が自由に動ける状態で収納された電気石処理手段を通過させる電気石処理と、キャビテーション発生手段を通過させる沸騰化処理とを行って、処理水を作り、該処理水をセシウムによって汚染された放射性汚染物質に接触させて、前記放射性汚染物質から発生する放射線の量を減少させることを特徴とする放射性汚染物質の処理方法。
【請求項２】
用水に対して、電気石が収納された電気石処理手段を通過させる電気石処理と、キャビテーション発生手段を通過させる沸騰化処理とを行って、処理水を作り、該処理水をセシウムによって汚染された放射性汚染物質に接触させて、前記放射性汚染物質から発生する放射線の量を減少させることを特徴とする放射性汚染物質の処理方法。
【請求項３】
請求項１又は２記載の放射性汚染物質の処理方法において、前記電気石処理の次に前記沸騰化処理が行われていることを特徴とする放射性汚染物質の処理方法。
【請求項４】
請求項１又は２記載の放射性汚染物質の処理方法において、前記沸騰化処理の次に前記電気石処理が行われていることを特徴とする放射性汚染物質の処理方法。
【請求項５】
請求項１〜４のいずれか１記載の放射性汚染物質の処理方法において、前記用水は、水道水、工業用水又は井戸水であることを特徴とする放射性汚染物質の処理方法。
【請求項６】
請求項１〜５のいずれか１記載の放射性汚染物質の処理方法において、前記沸騰化処理を行う部分と、前記電気石処理を行う部分をシャワーヘッド内に設け、前記用水を該シャワーヘッドを通じて前記処理水とすることを特徴とする放射性汚染物質の処理方法。
【請求項７】
放射性汚染物質から発生する放射線の量を減少させる処理水の製造装置であって、通過する用水に対して沸騰化現象を発生するキャビテーション発生手段と、粒状の電気石が自由に動ける状態で室内に収納された電気石処理手段とを有することを特徴とする処理水の製造装置。
【請求項８】
キャビテーション発生部を通過させた水を、放射性汚染物質に注いで、該放射性汚染物質から発生する放射線の量を減少させることを特徴とする放射性汚染物質の処理方法。
【請求項９】
請求項８記載の放射性汚染物質の処理方法において、前記キャビテーション発生部を通過する水は、該キャビテーション発生部を通過させる前又は後に、粒状の電気石の集合体部を通過させていることを特徴とする放射性汚染物質の処理方法。
【請求項１０】
請求項９記載の放射性汚染物質の処理方法において、前記集合体部の電気石の粒は、流れる水によって自由に移動可能であることを特徴とする放射性汚染物質の処理方法。
【発明の詳細な説明】
【技術分野】
【０００１】
本発明は、放射性物質（例えば、セシウム１３７、セシウム１３５、セシウム１３４）等で汚染された物質（例えば、土壌、木材、農作物、その他の有機物、セラミックス）の処理に係り、特に、比較的簡便な方法を用いて、発生する放射線の量を減少する放射性汚染物質の処理方法及びこれに用いる処理水の製造装置に関する。
【背景技術】
【０００２】
２０１１年３月に福島の原子力発電所が地震及びこれに伴って発生した津波により崩壊し、大量の放射能が飛散し、周囲に被害を齎した。特に、放射性物質のうち半減期の長いセシウム１３７（半減期３０年、なお、セシウム１３４の半減期は２年）の取り扱い、これによる汚染物質の処理が問題となっている。
【０００３】
特許文献１には、有機炭素物質を含む放射性廃液を、減圧蒸留して残さと蒸留液に分留し、放射性廃液から通常又は既存の装置で再利用可能又は放流可能な蒸留液を効率的に得る放射性物質の除去方法が提案されている。
また、特許文献２には、放射性物質で汚染された鉄合金系廃棄物を不活性ガス雰囲気及びカーボン飽和の状態で溶解し、その溶解時に生成したスラグに捕捉させて、汚染金属からウラン系元素を効率よく除染することが提案されている。
【先行技術文献】
【特許文献】
【０００４】
【特許文献１】特開２００９−２４４０８９号公報
【特許文献２】特開平１１−４４７９５号公報
【発明の概要】
【発明が解決しようとする課題】
【０００５】
しかしながら、対象物が多量に存在する土壌や土砂、野菜等の農産物の場合は、特許文献１又は２の方法は適用できない。
一般に放射能の量は、ベクレル（Ｂｑ／ｋｇ）で表され、飲料水の場合は１０Ｂｑ／ｋｇ以下（暫定）、農産物の場合は５００Ｂｑ／ｋｇ以下（暫定）等と決定されており、対象物がこれらの基準値以上であると、販売制限が行われている。ところが、対象物から発生する放射能量を例えば、半分に減らせば、前記した基準値を保持できる場合が多々ある。
【０００６】
本発明は、かかる事情に鑑みてなされたもので、放射性汚染物質から発生する放射能（放射線）の量を減らして、より安全な物質に近づける放射性汚染物質の処理方法及びこれに用いる処理水の製造装置を提供することを目的とする。
【課題を解決するための手段】
【０００７】
前記目的に沿う第１の発明に係る放射性汚染物質の処理方法は、用水に対して、キャビテーション発生手段を通過させる沸騰化処理と、電気石が収納された電気石処理手段を通過させる電気石処理とを行って、処理水を作り、該処理水をセシウムによって汚染された放射性汚染物質に接触させて、前記放射性汚染物質から発生する放射線の量を減少させる。ここで、電気石処理手段は、粒状の電気石が自由に動ける状態で配置されているのが好ましい。
【０００８】
第１の発明に係る放射性汚染物質の処理方法において、前記沸騰化処理の次に前記電気石処理を行ってもよいし、前記電気石処理を前記沸騰化処理の前に行ってもよい。
【０００９】
第１の発明に係る放射性汚染物質の処理方法において、前記用水は、水道水、工業用水又は井戸水であるのが好ましい。場合によっては海水でもよい。
【００１０】
第１の発明に係る放射性汚染物質の処理方法において、前記沸騰化処理を行う部分と、前記電気石処理を行う部分をシャワーヘッド内に設け、前記用水を該シャワーヘッドを通じて前記処理水とすることもできる。
【００１１】
前記目的に沿う第２の発明に係る処理水の製造装置は、通過する用水に対して沸騰化現象を発生するキャビテーション発生手段と、粒状の電気石が自由に動ける状態で室内に収納された電気石処理手段とを有し、前記キャビテーション発生手段及び前記電気石処理手段で、放射性汚染物質から発生する放射線の量を減少させる処理水を作る。
【００１２】
前記目的に沿う第３の発明に係る放射性汚染物質の処理方法は、キャビテーション発生部（キャビテーション発生手段に対応する）を通過させた水を、放射性汚染物質に注いで、該放射性汚染物質から発生する放射線の量を減少させる。
【００１３】
第３の発明に係る放射性汚染物質の処理方法において、前記キャビテーション発生部を通過する水は、該キャビテーション発生部を通過させる前又は後に、粒状の電気石の集合体部（電気石処理手段に対応する）を通過させているのが好ましい。
【００１４】
そして、第３の発明に係る放射性汚染物質の処理方法において、前記集合体部の電気石の粒は、流れる水によって自由に移動可能であるのがよい。
【発明の効果】
【００１５】
第１、第３の発明に係る放射性汚染物質の処理方法、及び第２の発明に係る処理水の製造装置によって製造された処理水は、実験の結果、処理水を放射性汚染物質（セシウム１３４、１３７を含む）を洗った原水に加えると、原水から発生する放射線の量が減少する。即ち、処理水を放射性汚染物質に接触させると、発生する放射線の量が減少する。従って、基準値を超える食品、木材、土砂等の対象物の放射能を基準値以下に減少させるのに極めて有効に利用できる。
特に、シャワーヘッド内に沸騰化処理を行う部分（キャビテーション発生手段、キャビテーション発生部）と、電気石処理を行う部分（電気石処理手段、電気石の集合体部）とを設けることによって、シャワー水で放射能の低減処理を行うことができる。
【図面の簡単な説明】
【００１６】
【図１】本発明の一実施の形態に係る放射性汚染物質の処理方法及びこれに用いる処理水の製造装置のブロック図である。
【図２】同方法に使用するシャワーヘッドの断面図である。
【図３】同方法の作用、効果を確認するために行った実験方法の説明図である。
【図４】同方法の作用、効果を確認するために行った実験方法の説明図である。
【発明を実施するための形態】
【００１７】
続いて、添付した図面を参照しながら、本発明を具体化した一実施の形態について説明する。
図１に示すように、水源１０からの用水（例えば、水道水、井戸水、工業用水、水の一例）１１に対して、キャビテーション発生手段１２によって沸騰化処理を行う。この沸騰化処理は、常温（例えば、１０〜３０℃）の水を縮径路から急に部屋や又は拡径部に流すことによって水の一部に空洞化現象（キャビテーション）を発生させることによって行う。
【００１８】
キャビテーションは、液体の流れの中で圧力がごく短時間だけ飽和蒸気圧より低くなったとき（水では大気圧の１／５０程度）、液体中に存在する１００μｍ以下のごく微小な気泡を核（気泡核）として液体が沸騰したり溶存気体の遊離によって小さな気泡が多数生じることによって発生する。気泡核が無ければ気泡も簡単には発生しない。
最終的には周囲の圧力が飽和蒸気圧より高くなり、周囲の液体は泡の中心に向かって殺到して、気泡が消滅する瞬間に中心で衝突するため、微小ながら強い圧力波が発生し、騒音、振動を発生させる。なお、キャビテーションが発生する水には、殺菌効果があることが立証されている。ここで、キャビテーションは超音波によっても発生するので、独立のキャビテーション発生室を作る場合は、超音波発生手段を設けることもできる。
【００１９】
次に、沸騰化処理を行った用水１３に、小粒の電気石を相互の粒が移動可能として、水通過性を有する部屋（室内）に集めた電気石の集合体部を備えた電気石処理手段１４によって、電気石処理を行う。この実施の形態では、電気石として、フロー工業株式会社の直径４ｍｍのトルマリンセラミック（単に「トルマリン」と記載することもある）を使用した（関連特許として、特許第２８５２３２２号がある）。このトルマリンセラミックは、微粉砕したトルマリンをセラミックと混合して造粒し９８０℃以下で焼成して形成されている（粒体Ａ）。なお、セラミックとしては、アルミナ、シリカを使う。粒体Ａの表面はセラミックで覆われ、お互いの粒が接触しても、粒体Ａの内部にある粉末トルマリンが剥離されないようにしている。この粒体Ａは、用水１３が自由に通過する部屋内に隙間を有して自由に動ける状態で多数配置され、用水１３の流れによって、粒体Ａがお互いに接触して用水１３に対して電気的（例えば、イオン化）、磁気的作用（例えば、分極）を与えるようにしている。
【００２０】
なお、他の電気石としては、1.ロスマン電気石、２．苦土フォイト電気石、３．フォイト電気石、４．リチア電気石、５．オレニ電気石、６．苦土電気石、７．鉄電気石、８．クロム苦土電気石、９．バーガー電気石、１０．ポヴァンドラ電気石、１１．リディコート電気石、１２．灰電気石、１３．鉄灰電気石があり、いずれも電気石の原料として使用可能である。
【００２１】
なお、水源１０からの用水１１に対しては、第１のポンプを用いて、キャビテーション発生手段１２に送るのが好ましい。水源１０が水道水の場合は、水源１０自身の吐出圧力を利用するのがよい。キャビテーション発生手段１２から電気石処理手段１４に送る用水１３は、第１のポンプをそのまま用いて給水するのがよい。
【００２２】
電気石処理手段１４からの処理水１６は、一旦容器に溜め、図示しない第２のポンプを用いて、原水１７（即ち、放射性元素を含む液、例えば、放射性汚染物質の洗浄水）が入っている容器３０に入れる。これによって、原水１７と処理水１６の混合水から発する放射線の量が、水で希釈された原水１７の放射線量より減少する。
また、場合によっては、処理水１６を、放射性物質（セシウム１３４、セシウム１３７）に汚染された土壌又は、農産物、木材、その他の製品等の放射性汚染物質Ｒに散布するのがよい。これによって、放射性汚染物質Ｒから発する放射線の量が減る。
【００２３】
なお、図２に示すように、キャビテーション発生手段１２及び電気石処理手段１４をシャワーヘッド１８内に、（キャビテーション発生部及び粒状の電気石の集合体部として）組み込む場合は、第１、第２のポンプは不要で、水道圧をそのまま利用できる。
図２に記載したシャワーヘッド１８（処理水の製造装置の一例となる）は、電気石処理手段１４を加えた以外は、先に出願した特開２００７−１１７９８５号公報（特許第４５７８４０９号）に記載のシャワーヘッドと同一構造となっている。従って、１９はシャワーヘッド本体を、２０は流量調整部材を、２１は散水キャップを、２２は散水板を、２３は偏心した貫通孔（通水孔）２４が設けられた仕切り板を示す。
【００２４】
従って、このシャワーヘッド１８においては、筒状通水部２５を通過した水道水は、屈曲通水部２６、流量調整部材２０の縮径通路２７を通り、電気石処理手段１４を通過し、その後、キャビテーション発生手段（キャビテーション発生部）１２を通過して、散水板２２から外部に処理水となって放出される。電気石処理手段１４は、網目状の袋又は室と、内部に収納された小径のトルマリンの粒（電気石ボール、粒状の電気石の一例）とを有し、流れる水（水道水）によってトルマリンの粒が自由に袋又は室内を運動し、これによって、導入された水道水に電気磁気的変化を与える。なお、小径の電気石を散水板２２の手前側位置に配置してもよい。この場合も、複数の電気石（粒）が自由に移動できる状態にし、更に通水性の容器又は袋に収納しておくのがよい。
【００２５】
この後、キャビテーション発生手段１２によって、キャビテーションを発生させている。このシャワーヘッド１８に供給する水道水の圧力は０．３〜０．８ＭＰａとなってシャワーヘッド１８内に沸騰化現象を起こさせることができる。以上のシャワーヘッド１８において、キャビテーション発生手段１２及び電気石処理手段１４の位置を入れ換えることもできるし、キャビテーション発生手段１２の下流に第２の電気石処理手段１４を設けてもよい。
また、前述のように、キャビテーション発生手段１２、及び電気石処理手段１４を別置きした装置、又はこれらの両方を備える装置で、処理水１６を作ることもできる。
【００２６】
続いて、本発明の作用、効果を確認した実施例について説明する。
まず、図３に示すように、放射性物質（主として、セシウム１３４、セシウム１３７）を有する汚染土壌Ｒ１を用意し、これに水源（例えば、水道水又は井戸水）１０からの用水を入れて、汚染土壌Ｒ１を洗浄する。セシウム１３４、１３７の化合物は水に溶けるか又は混入するので、洗浄した水が放射性物質を含むことになる（以下、原水といい、これが放射性汚染物質となる）。以上の処理によって製造された原水Ｘ（測定放射線量７５０Ｂｑ／ｋｇ）を用いて、以下の実験を行った。
【００２７】
なお、図３において、用水１１を沸騰化処理すると共に、電気石処理を行って、処理水１６を作り容器２８に入れた。この容器２８に入れた処理水１６は、図２に示すシャワーヘッド１８を用いて製造した。このシャワーへッド１８の内部には、自由状態で動くトルマリンの粒を含む電気石処理を行う部分（即ち、電気石処理手段１４）と、流れの急な変化（圧縮から拡大）によってキャビテーションを発生させる沸騰化処理を行う部分（キャビテーション発生手段１２）とを直列に設けている。
【００２８】
原水Ｘについて、単独で放射線量を測定した結果、表１のａ．に示すように、７５０Ｂｑ／ｋｇであった。そこで、シャワーヘッド１８を通過させた井戸水（真水テスト水Ｘ、即ち処理水１６）を原水Ｘに入れた。この場合、原水Ｘ５０％に対してテスト水Ｘは５０％であった。これによって、原水Ｘとテスト水Ｘとの一対一の混合水から１４４Ｂｑ／ｋｇの放射線量が測定された（表１のｂ．に示す）。これは、７５０Ｂｑ／ｋｇの原水を２倍の水で希釈した放射線量（３７５Ｂｑ／ｋｇ）より少ない放射線量（１４４Ｂｑ／ｋｇ）となり、テスト水Ｘが原水Ｘからの放射線量を減少させたことが分かる。
【００２９】
そして、表１のｃ．に示すように、原水Ｘ３０％に７０％のテスト水Ｘを混合した処理液については、９１Ｂｑ／ｋｇの測定結果であり、７５０×３／１０（＝２５０Ｂｑ／ｋｇ）より小さくなる。従って、テスト水Ｘは、原水Ｘ中のセシウム１３４、１３７から発生する放射線量を減らしたことになる。シャワーヘッド１８を通過させた水（処理水１６）が放射線量を減らす作用を発揮することになる。
【００３０】
【表１】
2013242305.tif 000003
【００３１】
次に、図４を参照しながら原水Ｙを用いて実験した結果について説明する。放射性物質（主として、セシウム１３４、セシウム１３７）を有する汚染土壌Ｒ２を用意し、これに水源（例えば、水道水又は井戸水）１０からの用水を入れて、汚染土壌Ｒ２を洗浄する。セシウム１３４、１３７の化合物は容易に水に溶けるか又は混入するので、洗浄した水が放射性物質を含むことになる（以下、原水といい、これが放射性汚染物質となる）。以上の処理によって製造された原水Ｙ（測定放射線量２８０Ｂｑ／ｋｇ）を一定量（例えば５〜１０Ｌ）用いて、以下の実験を行った。
原水Ｙ（１００％）の放射線量を測定したところ、表２のｄ．に示すように、２８０Ｂｑ／ｋｇであった。次に、原水Ｙをポンプ２９で汲み上げて、１０分間シャワーヘッドＴＦに通した結果を、表２のｅ．に示すが、１９２Ｂｑ／ｋｇであった。このとき、シャワーヘッドＴＦ内に収納されているトルマリンの粒は、微量の接着剤を用いて固定されていた（「テスト器」と称する）。
【００３２】
一方、同一条件で、原水Ｙを２０分間シャワーヘッドＴＦに通した結果を、表２のｆ．に示すが、２２３Ｂｑ／ｋｇであった。このとき、シャワーヘッドＴＦ内に収納されているトルマリンの粒は、微量の接着剤を用いて固定されていた。ここで、トルマリンが固定された状態で、原水ＹをシャワーヘッドＴＦ内に長時間流すと、検出する放射線量が増加するが、この理由は、一旦トルマリンに付着したセシウムが再度循環水によって洗われたものと思慮する。
【００３３】
次に、トルマリンを除いたシャワーヘッドＣ（即ち、特開２００７−１１７９８５号公報の図６に記載、表２に「２Ｒ−ａ」と記載）を用いて、原水Ｙを１０分間このトルマリンを除いたシャワーヘッドＣに通過させると、表２のｇ．に示すように、放射線量は２１７Ｂｑ／ｋｇであった。これによって、このシャワーヘッドにおいて、固定状態で配置されたトルマリンは必須の条件ではないことが分かる。
【００３４】
【表２】
2013242305.tif 000004
【００３５】
以上の実験から、電気石（例えばトルマリンの粒）を使用する場合は、電気石の粒子が動くようにする必要がある。また、原水Ｙの沸騰化処理のみを行っても、放射線量を減らす効果があることが分かる。
【００３６】
前記実施の形態においては、シャワーヘッドを用いる他、キャビテーション発生手段と、電気石処理手段とを独立に設けてもよい。
また、図３、図４においては、キャビテーション発生手段１２の後に、電気石処理手段１４を記載しているが、これらの順番を入れ換えてもよい。しかし、電気石処理手段を後段に配置する方が、キャビテーション発生手段をより効率的に作動させることができる。
なお、表１、表２のデータは、一般財団法人九州環境管理協会に委託して作成した。
【００３７】
本発明の作用効果を確認するために、表１、表２に示す実験を行っているが、その理論については必ずしも明確ではないので、その理論について判ったことを以下に記載する。
【００３８】
特開２００７−１１７９８５号公報の図６に記載のシャワーヘッド（Ａ）はキャビテーション発生手段１２が設けられている。このシャワーヘッド（Ａ）に、塩素の含まれる水道水を流し、このシャワーヘッド（Ａ）から放出される水で金魚を飼育すると、１年以上も生きることが確認されている。このことから、シャワーヘッド（Ａ）内に設けたキャビテーション発生手段１２は、他の物質に対して反応し、特に、脱塩素に有効に作用することが判る。
【００３９】
次に、このシャワーヘッド（Ａ）にトルマリンセラミックを用いた電気石処理手段１４を設け、硬度３０１（単位ｍｇ／ｌ）の水を通すと硬度１００に変化した。従って、電気石処理手段１４は、水の硬度を下げる働きがあることが実験によって確認されている。
【００４０】
ここで、シャワーヘッド１８内に組み込まれたキャビテーション発生手段１２の作用について検討する。シャワーヘッド１８内に発生した気泡の崩壊時には、Ｈ２Ｏ→Ｈ＋＋ＯＨ−なる分解（反応）が起こり、酸化力の非常に強いＯＨ−が発生する。従って、シャワーヘッド１８を通した水は、Ｈ２Ｏ→Ｈ＋＋ＯＨ−なる分解が起こり、ＯＨ−が極めて酸化力が大きい。
【００４１】
また、キャビテーション発生時の崩壊圧を、レイリー（Ｒａｙｌｅｉｇｈ）の理論による計算式で試算すると、以下の通りである。
即ち、Ｒｏ＝泡、Ｒ＝縮む大きさ、Ｐｏ＝泡を囲んでいる圧力、Ｒｏ／Ｒ＝２０、Ｐｏ＝１ｋｇｆ／ｃｍ２とすると、Ｐｍａｘ（最大崩壊圧）＝０．１６３（Ｒｏ／Ｒ）３×Ｐｏ＝となり、Ｐｍａｘ＝１，３０４ｋｇｆ／ｃｍ２（１３０．４ＭＰａ）となる。以下、これらを第１の要因という。
【００４２】
次に、シャワーヘッド内に配置されたトルマリンの能力は、＋・−の極性を持ち続け、上記の崩壊圧により両極の間に生じる電位差は推定１００万ボルトものエネルギーを発生し、電気分解も発生する。従って、トルマリンセラミックにより処理した水の表面張力が低下し、膜透過性が向上する。以下これを第２の要因とする。
【００４３】
フリー百科辞典「ウィキペディア」によると、セシウムは原子番号５５の元素で、同位体として、１３３Ｃｓ、１３４Ｃｓ、１３５Ｃｓ、１３７Ｃｓがある。セシウムの安定同位体はセシウム１３３のみであることは知られている。しかしながら、これらの同位元素はお互いに中性子を放出しないので、容易に一つのセシウムから他のセシウム（同位元素）には変換しないと考えられ、物質の量が変わらないとすると、放射線量の測定値は減っているので内部の物質が、第１、第２の要因によって変化しているとも考えられる。
【００４４】
更に、別の可能性として、シャワーヘッド１８を通過させることによって、キャビテーション発生手段及び電気石処理手段が、複合的に原水に影響を与えて、発生する放射線の量を減少させたとも考えられる。
この場合、セシウムの量は、希釈されれば濃度が減少するので、測定する放射線の量が含まれるセシウムの量によってより減少することも考えられるが、電気石（トリマリン）粒を微小の接着剤を用いて固定した場合に比べて、電気石を自由状態にした場合の方がより放射性線量を減少させる効果があることの説明が難しい。従って、１）シャワーヘッド１８を通した水は、キャビテーション現象によって、Ｈ２Ｏ→Ｈ＋＋ＯＨ−なる分解が起こり、ＯＨ−は極めて酸化力が大きいこと、２）電気石処理を行ったことが、積極的に放射線量を減少させたと解さざるを得ない。
【００４５】
特に、本発明の放射性汚染物質の処理方法は、基準値（許容値）より少しの範囲で放射線量が超えている処理物（水、食物、その他の汚染物質）に対しては、処理物の放射線量を基準値以下にすることができるので、極めて有効である。
【符号の説明】
【００４６】
１０：水源、１１：用水、１２：キャビテーション発生手段、１３：用水、１４：電気石処理手段、１６：処理水、１７：原水、１８：シャワーヘッド、１９：シャワーヘッド本体、２０：流量調整部材、２１：散水キャップ、２２：散水板、２３：仕切り板、２４：貫通孔、２５：筒状通水部、２６：屈曲通水部、２７：縮径通路、２８：容器、２９：ポンプ、３０：容器
【図１】
2013242305.tif 000005
【図２】
2013242305.tif 000006
【図３】
2013242305.tif 000007
【図４】
2013242305.tif 000008